(57)【要約】【課題】設計図面などをセンサー付ペンによって修正し、この修正線データをＣＡＤデータとして転送し、現場における元紙図面との照合を行う。【解決手段】図面を載置する図板１に画像読取装置のスキャナ２を固定し、この図板１の紙面サイズの位置決めマーク４に合せて修正する紙図面３を張り合わせ、センサー付ペン５によって紙図面３の修正を朱書きで行い、この朱書きの線データのみを制御してコンピュータ６に取り込み記憶し、この取り込み線データを転送して、この修正の線データの縮尺を修正前の原紙図面のＣＡＤ形式に自動的に調整して、送信先において元の紙図面データと修正部分のみの図面データとを重ね合せ、修正箇所をチェックする構成である。【選択図】　　　　図１
0003099047.tif 000002
【実用新案登録請求の範囲】
【請求項１】
図面を載置する図板に画像読取装置のスキャナを固定し、この図板の紙面サイズの位置決めマークに合せて修正する紙図面を張り合わせ、センサー付ペンによって紙図面の修正を色書きで行い、この色書きの線データのみを制御してコンピュータに取り込み記憶し、この取り込み線データを転送して、この修正の線データの縮尺を修正前の原図面のＣＡＤ形式に自動的に調整して、送信先において元の紙図面データと修正部分のみの前記図面データとを重ね合せ、現場において修正箇所を瞬時にチェックが確実にできることを特徴とする図面照合システム。
【請求項２】
原図面を載置する図板と、
この図板の両側隅に配置して固定したスキャナと、
前記図板上に原図面を載置する図面サイズの位置きめマークと、
前記図板の位置きめマークに合せて載置した原図面の修正を記入するセンサー付ペンと、
前記スキャナで読み取った修正線データを表示し、記憶するコンピュータと、を備え、原図面の修正線データを前記コンピュータから現場に送信し、現場の図面との照合を行うことを特徴とする図面照合システム。
【請求項３】
前記図板の上隅に固定するスキャナがｅＢｅａｍであり、センサー付ペンが発信器つきマカーであることを特徴とする請求項１又は請求項２に記載の図面照合システム。
【請求項４】
原図面が建築設計図面であり、建築現場と施工業者との間の相互通信を行い、遠隔地における図面の修正が瞬時に確認できることを特徴とする請求項１乃至請求項３に記載のいずれか１つの図面照合システム。
【考案の詳細な説明】
【０００１】
【考案の属する技術分野】
この考案は、建築施工などに利用されている設計図面などの修正図面の図面照合システムに関する。
【０００２】
【従来の技術】
今までは図４に示されるように、設計図面の修正チェック作業は、元の紙図面上に朱書きで修正して、この修正紙図面の現物を現場に持参するか、会議場持参して、オーバーヘッド投影気等を使用して原図面と照合検討することが行われていた。このように紙図面の修正について１枚のみならさして問題とならないが、建築施工のような場合は大量枚数の図面について大量の修正図面を持ち運びすることは大変な作業であった。特にＣＡＤを使用した建築設計図やソフトウエアロジック図など、表示装置に呼び出した紙図面として印刷し、その紙図面上に朱書きによる補正がされて、その紙図面を郵送していた。このように大量の紙図面を必要とし、無駄であった。また、建築施工現場が外国の場合は郵送に時間と費用がかかっていた。
このような紙図面を表示装置に映し出してから修正をして画像修正について画面上で行うことが行われているが、これも確実な修正方法ではなかった。
【０００３】
建築設計図面のシステムとして紙の無駄を省く目的で、作業性を向上する方法が提案されている。これは記憶装置を備えた図面作成手段、建物の積算作業を支援する積算手段を備えたＣＡＤシステムにおいて、同一コンピュータ内において作図データを交換するシステムである（特許文献１）。
また、予め登録、記憶された複数種類の図面要素の内から所望の機能を表す複数の図形要素を選択して図面の中から選び特定の図面要素を変更して上書きするなどの修正方法が知られている（特許文献２）。
【０００４】
【特許文献１】特開平１１−１４０９６３号公報
【特許文献２】特開平１０−６３７０５号公報
【０００５】
【考案が解決しようとする課題】
本考案は従来のこのような面倒は手順を経ることなく、簡易な方法によって修正図面チェックができるシステムを提供するものである。
本考案の課題は、電子ボードなどに描かれた図面を紙図面と重ね合わせて、修正部分のみが伝送できる図面照合システム。
現場と施工設計場所との図面の交換転送に際して任意に修正できるシステムを構築する図面照合システムを提供するものである。
本考案の課題は、修正図面についてｅＢｅａｍを利用することにより簡易にセンサー付ペンによって修正した線データを転送して図面チェックを確実に行われる図面照合システムを提供することである。
【０００６】
【課題を解決するための手段】
この考案の前記課題は、図面を載置する図板に画像読取装置のスキャナを固定し、この図板の紙面サイズの位置決めマークに合せて修正する紙図面を張り合わせ、センサー付ペンによって紙図面の修正を色書きで行い、この色書きの線データのみを制御してコンピュータに取り込み記憶し、この取り込み線データを転送して、この修正の線データの縮尺を修正前の原図面のＣＡＤ形式に自動的に調整して、送信先において元の紙図面データと修正部分のみの前記図面データとを重ね合せ、現場において修正箇所を瞬時にチェックが確実にできる図面照合システムの構成によって達成できる。
【０００７】
本考案の前記課題は、前記原図面を載置する図板と、この図板の両側隅に配置して固定したスキャナと、前記図板上に原図面を載置する図面サイズの位置きめマークと、前記図板の位置きめマークに合せて載置した原図面の修正を記入するセンサー付ペンと、前記スキャナで読み取った修正線データを表示し、記憶するコンピュータと、を備え、原図面の修正線データを前記コンピュータから現場に送信し、現場の図面との照合を行う図面照合システムの構成により達成できる。
【０００８】
また、前記課題は、前記図板の上隅に固定するスキャナがｅＢｅａｍであり、センサー付ペンが発信器つきマカーである図面照合システムの構成によって達成できる。
【０００９】
本考案の図面照合システムは、電子ビームにより読み取り可能なホワイトボードを使用しいて、このホワイトボード面に原紙図面を載置し、設計図面の修正をセンサー付ペンにより朱書き補正をして、この修正図面の朱書き部分のみをスキャナで読み取り、この修正箇所の線図をコンピュータに取り込み、建築などの作業現場に転送するから紙図面を郵送する必要がないので瞬時に修正が可能である。
【００１０】
本考案の図面照合システムは、図面を貼り付ける図板ボードとセンサー付ペンとを利用するから簡易に修正画面の線画をスキャナで読み取りコンピュータに取り込むことができる。
【００１１】
本考案の図面照合システムは、修正した箇所のみをコンピュータに取り込み、送信することができるので施工現場や会議場において元の紙図面と重ねて修正箇所のチェックが確実に確認することができる。
【００１２】
【考案の実施の形態】
本考案の図面照合システムについて図面に示す実施形態に基づいて説明する。図１は本考案の図面照合システムの概念図である。図２は本考案の図面照合システムの流れ図である。図３は本システムに使用するｅＢｅａｍのキット例である。図４は従来の修正図面の処理方法の説明図である。
【００１３】
本考案の図面照合システムは、図板のようなホワイトボード１を用意し、設計図等が描かれた紙図面３をスキャナ２を載置したホワイトボード１の図面貼付位置定規である位置決めマーク４に合せて載置する。このスキャナ２としてはｅＢｅａｍセンサーを使用するとより好ましい。次に、発信器などを搭載したセンサー付ペン（例えば朱色）５によって図面の修正を行う。朱書きによって修正された図面はスキャナ２によってこの線データのみが読み込まれコンピュータ６に取り込まれ記憶される。
【００１４】
この読み込まれた線データは施工現場、会議場に送信され、それぞれの現場において送信された修正線データと元紙図面と重ね合わせて図面のチェックを行い確認する。
【００１５】
本考案の図面照合システムに使用する図板は通常にホワイトボードに限定されることはなく、材質は何であってもよい。昨今使用されている帯電付着シートを使用しても良い。
センサー付ペンは数種類の色ペンであってもよく、太さは種々用意しておくと便利である。しかもイレーザを使用して消しながら、再入力も可能である。
本考案に使用するｅＢｅａｍセンサーによるスキャナで読み取ることができるデータ形式はいずれでもよい。例えば、Ｔｉｆｆ形式、ＣＡＤ形式など特定なものにこだわらない。本考案の実施例では一般的なＣＡＤ形式によって行った
【００１６】
読み取りコンピュータ６に取り込んだ線データについて縮尺をＣＡＤファイル形式に自動調節する。（例えば、読み込んだ線データを原寸入力のために、モデル空間上にスケールを合せるために、元の紙図面し上でＳ＝１／５０で書き入れてある場合は図面を修正して５０倍にする必要がある。）
【００１７】
出力データの確認を行ってから、現場において出力した線データをサイド貼り付けてから再度確認する。
【００１８】
【考案の効果】
本考案の図面照合システムは、従来のように修正図面を紙出力による照合をすることなく、遠方にいる施工現場、会議場において、瞬時に修正線データを取り込み、元紙図面との照合が簡易にでき、修正の確認が容易である。従って、大量の紙を使用する必要がないばかりでなく、修正線データのみ送信することができるので図面のチェックが簡易に出来る。
【図面の簡単な説明】
【図１】本考案の図面照合システムの概念図である。
【図２】本考案の図面照合システムの流れ図である。
【図３】本システムに使用するｅＢｅａｍのキット例である。
【図４】従来の修正図面の処理方法の説明図である。
【符号の説明】
１　　　図板
２　　　スキャナ
３　　　紙図面
４　　　位置決めマーク
５　　　センサー付ペン
６　　　コンピュータ
【図１】
0003099047.tif 000003
【図２】
0003099047.tif 000004
【図３】
0003099047.tif 000005
【図４】
0003099047.tif 000006
【手続補正書】
【提出日】平成15年6月16日(2003.6.16)
【手続補正１】
【補正対象書類名】明細書
【補正対象項目名】全文
【補正方法】変更
【補正の内容】
【考案の詳細な説明】
【実用新案登録請求の範囲】
【請求項１】図面を載置する図板に画像読取装置のスキャナを固定し、この図板の上に修正する紙図面を張り合わせる紙面サイズの位置決めマークを有し、この修正する紙図面を修正して色書きするセンサー付ペンによって修正可能とし、このセンサー付ペンの色書きの線データのみを制御してコンピュータに取り込み記憶し、この取り込み線データを転送可能とした現場において修正箇所を瞬時にチェックができる機構を備えたことを特徴とする図面照合装置。
【請求項２】原図面を載置する図板と、
この図板の両側隅に配置して固定したスキャナと、
前記図板上に原図面を載置する図面サイズの位置きめマークと、
前記図板の位置きめマークに合せて載置した原図面の修正を記入するセンサー付ペンと、
前記スキャナで読み取った修正線データを表示し、この線データを記憶するコンピュータと、
からなり、原図面の修正線データを前記コンピュータから現場に送信し、現場の図面との照合を行うことができることを特徴とする図面照合装置。
【請求項３】前記図板の上隅に固定するスキャナがｅＢｅａｍであり、センサー付ペンが発信器つきマカーであることを特徴とする請求項１又は請求項２に記載の図面照合装置。
【請求項４】原図面が建築設計図面であり、建築現場と施工業者との間の相互通信を行い、遠隔地における図面の修正が瞬時に確認できることを特徴とする請求項１乃至請求項３に記載のいずれか１つの図面照合装置。
【考案の詳細な説明】
【０００１】
【考案の属する技術分野】
この考案は、建築施工などに利用されている設計図面などの修正図面の現場において簡易に修正箇所を照合できる図面照合装置に関する。
【０００２】
【従来の技術】
今までは図４に示されるように、設計図面の修正チェック作業は、元の紙図面上に朱書きで修正して、この修正紙図面の現物を現場に持参するか、会議場持参して、オーバーヘッド投影気等を使用して検討することが行われていた。このように紙図面の修正について１枚のみならさして問題とならないが、建築施工のような場合は大量枚数の図面について大量の修正図面を搬送することは大変な作業であった。特にＣＡＤを使用した建築設計図やソフトウエアロジック図など、表示装置に呼び出した紙図面として印刷し、その紙図面上に朱書きによる補正がされて、その紙図面を郵送していた。このように大量の紙図面を必要とし、無駄であった。また、建築施工現場が外国の場合は郵送に時間と費用がかかっていた。このような紙図面を表示装置に映し出してから修正をして画像修正について画面上で行うことが行われているが、これも確実な修正方法ではなかった。
【０００３】
建築設計図面のシステムとして紙の無駄を省く目的で、作業性を向上する方法が提案されている。これは記憶装置を備えた図面作成手段、建物の積算作業を支援する積算手段を備えたＣＡＤシステムにおいて、同一コンピュータ内において作図データを交換するシステムである（特許文献１）。
また、予め登録、記憶された複数種類の図面要素の内から所望の機能を表す複数の図形要素を選択して図面の中から選び特定の図面要素を変更して上書きするなどの修正方法が知られている（特許文献２）。
【０００４】
【特許文献１】特開平１１−１４０９６３号公報
【特許文献２】特開平１０−６３７０５号公報
【０００５】
【考案が解決しようとする課題】
本考案は従来のこのような面倒は手順を経ることなく、簡易な方法によって修正図面チェックができる図面照合装置を提供するものである。
本考案の課題は、電子ボードなどに描かれた図面を紙図面と重ね合わせて、修正部分のみが伝送できる図面照合装置。
ディスプレイやキーボードを備えた。
現場と施工設計場所との図面の交換転送に際して任意に修正できるシステムを構築する図面照合装置を提供するものである。
本考案の課題は、修正図面についてｅＢｅａｍを利用することにより簡易にセンサー付ペンによって修正した線データを転送して図面チェックを確実に行われる図面照合装置を提供することである。
【０００６】
【課題を解決するための手段】
この考案の前記課題は、図面を載置する図板に画像読取装置のスキャナを固定し、この図板の上に修正する紙図面を張り合わせる紙面サイズの位置決めマークを有し、この修正する紙図面を修正して色書きするセンサー付ペンによって修正可能とし、このセンサー付ペンの色書きの線データのみを制御してコンピュータに取り込み記憶し、この取り込み線データを転送可能とした現場において修正箇所を瞬時にチェックができる機構を備えた図面照合装置の構成によって達成できる。
【０００７】
本考案の前記課題は、前記原図面を載置する図板と、この図板の両側隅に配置して固定したスキャナと、前記図板上に原図面を載置する図面サイズの位置きめマークと、前記図板の位置きめマークに合せて載置した原図面の修正を記入するセンサー付ペンと、前記スキャナで読み取った修正線データを表示し、記憶するコンピュータと、を備え、原図面の修正線データを前記コンピュータから現場に送信し、現場の図面との照合を行う図面照合装置の構成により達成できる。
【０００８】
また、前記課題は、前記図板の上隅に固定するスキャナがｅＢｅａｍであり、センサー付ペンが発信器つきマカーである図面照合装置の構成によって達成できる。
【０００９】
本考案の図面照合装置は、電子ビームにより読み取り可能なホワイトボードを使用しいて、このホワイトボード面に原紙図面を載置し、設計図面の修正をセンサー付ペンにより朱書き補正をして、この修正図面の朱書き部分のみをスキャナで読み取り、この修正箇所の線図をコンピュータに取り込み、建築などの作業現場に転送するから紙図面を郵送する必要がないので瞬時に修正が可能である。
【００１０】
本考案の図面照合装置は、図面を貼り付ける図板ボードとセンサー付ペンとを利用するから簡易に修正画面の線画をスキャナで読み取りコンピュータに取り込むことができる。特に、センサー付ペンから信号を受信する図板の両隅に配置したスキャナーで位置検知しながら検知して修正図面の線データを連続的に送信してコンピュータに記憶することができる。
【００１１】
本考案の図面照合装置は、修正した箇所のみをコンピュータに取り込み、送信することができるので施工現場や会議場において元の紙図面と重ねて修正箇所のチェックが確実に確認することができる。
【００１２】
【考案の実施の形態】
本考案の図面照合装置について図面に示す実施形態に基づいて説明する。
図１は本考案の図面照合装置の概念図である。図２は本考案の図面照合装置の流れ図である。図３は図面照合装置に使用するｅＢｅａｍのキット例である。図４は従来の修正図面の処理方法の説明図である。
【００１３】
本考案の図面照合装置は、図板のようなホワイトボード１を用意し、設計図等が描かれた紙図面３を修正して描くスキャナ２を載置したホワイトボード１の図面貼付位置定規である位置決めマーク４に合せて載置する。このスキャナ２としてはｅＢｅａｍセンサーを使用するとより好ましい。次に、発信器などを搭載したセンサー付ペン（例えば朱色）５によって図面の修正を行う。朱書きによって修正された図面はスキャナ２によってこの線データのみが読み込まれコンピュータ６に取り込まれ記憶される。
【００１４】
この読み込まれた線データは施工現場、会議場に送信され、それぞれの現場において送信された修正線データと元紙図面と重ね合わせて図面のチェックを行い確認する。
【００１５】
本考案の図面照合装置に使用する図板は通常にホワイトボードに限定されることはなく、材質は何であってもよい。昨今使用されている帯電付着シートを使用しても良い。
センサー付ペンは数種類の色ペンであってもよく、太さは種々用意しておくと便利である。しかもイレーザを使用して消しながら、再入力も可能である。
本考案に使用するｅＢｅａｍセンサーによるスキャナで読み取ることができるデータ形式はいずれでもよい。例えば、Ｔｉｆｆ形式、ＣＡＤ形式など特定なものにこだわらない。本考案の実施例では一般的なＣＡＤ形式によって行った
【００１７】
読み取りコンピュータ６に取り込んだ線データについて縮尺をＣＡＤファイル形式に自動調節する。（例えば、読み込んだ線データを原寸入力のために、モデル空間上にスケールを合せるために、元の紙図面し上でＳ＝１／５０で書き入れてある場合は図面を修正して５０倍にする必要がある。）
【００１８】
出力データの確認を行ってから、現場において出力した線データをサイド貼り付けてから再度確認する。
【００１９】
【考案の効果】
本考案の図面照合装置は、従来のように修正図面を紙出力による照合をすることなく、遠方にいる施工現場、会議場において、瞬時に修正線データを取り込み、元紙図面との照合が簡易にでき、修正の確認が容易である。従って、大量の紙を使用する必要がないばかりでなく、修正線データのみ送信することができるので図面のチェックが簡易にできる。
【図面の簡単な説明】
【図１】本考案の図面照合装置の概念図である。
【図２】本考案の図面照合装置の流れ図である。
【図３】本システムに使用するｅＢｅａｍのキット例である。
【図４】従来の修正図面の処理方法の説明図である。
【符号の説明】
１　　　図板
２　　　スキャナ
３　　　紙図面
４　　　位置決めマーク
５　　　センサー付ペン
６　　　コンピュータ
【手続補正書】
【提出日】平成15年9月10日(2003.9.10)
【手続補正１】
【補正対象書類名】明細書
【補正対象項目名】全文
【補正方法】変更
【補正の内容】
【考案の詳細な説明】
【実用新案登録請求の範囲】
【請求項１】図面を載置する図板に画像読取装置のスキャナを固定し、この図板の上に修正する紙図面を張り合わせる紙面サイズの位置決めマークを有し、この修正する紙図面を修正して色書きするセンサー付ペンによって修正可能とし、この色書きの線データのみを制御してコンピュータに取り込み記憶し、この取り込み線データを転送可能とした現場において修正箇所を瞬時にチェックができる機構を備えたことを特徴とする図面照合装置。
【請求項２】原図面を載置する図板と、
この図板の両側隅に配置して固定したスキャナと、
前記図板上に原図面を載置する図面サイズの位置きめマークと、
前記図板の位置きめマークに合せて載置した原図面の修正を記入するセンサー付ペンと、
前記スキャナで読み取った修正線データを表示し、この線データを記憶するコンピュータと、
からなり、原図面の修正線データを前記コンピュータから現場に送信し、現場の図面との照合を行うことを特徴とする図面照合装置。
【請求項３】前記図板の上隅に固定するスキャナが図板上の描画を読取りデジタル信号に変換し、コンピュータに送信するものであり、センサー付ペンが発信器つきマカーであることを特徴とする請求項１又は請求項２に記載の図面照合装置。
【請求項４】原図面が建築設計図面であり、建築現場と施工業者との間の相互通信を行い、遠隔地における図面の修正が瞬時に確認できることを特徴とする請求項１乃至請求項３に記載のいずれか１つの図面照合装置。
【考案の詳細な説明】
【０００１】
【考案の属する技術分野】
この考案は、建築施工などに利用されている設計図面などの修正図面の現場において簡易に修正箇所を照合できる図面照合装置に関する。
【０００２】
【従来の技術】
今までは図４に示されるように、設計図面の修正チェック作業は、元の紙図面上に朱書きで修正して、この修正紙図面の現物を現場に持参するか、会議場持参して、オーバーヘッド投影気等を使用して検討することが行われていた。このように紙図面の修正について１枚のみならさして問題とならないが、建築施工のような場合は大量枚数の図面について大量の修正図面を搬送することは大変な作業であった。特にＣＡＤを使用した建築設計図やソフトウエアロジック図など、表示装置に呼び出した紙図面として印刷し、その紙図面上に朱書きによる補正がされて、その紙図面を郵送していた。このように大量の紙図面を必要とし、無駄であった。また、建築施工現場が外国の場合は郵送に時間と費用がかかっていた。
このような紙図面を表示装置に映し出してから修正をして画像修正について画面上で行うことが行われているが、これも確実な修正方法ではなかった。
【０００３】
建築設計図面のシステムとして紙の無駄を省く目的で、作業性を向上する方法が提案されている。これは記憶装置を備えた図面作成手段、建物の積算作業を支援する積算手段を備えたＣＡＤシステムにおいて、同一コンピュータ内において作図データを交換するシステムである（特許文献１）。
また、予め登録、記憶された複数種類の図面要素の内から所望の機能を表す複数の図形要素を選択して図面の中から選び特定の図面要素を変更して上書きするなどの修正方法が知られている（特許文献２）。
【０００４】
【特許文献１】特開平１１−１４０９６３号公報
【特許文献２】特開平１０−６３７０５号公報
【０００５】
【考案が解決しようとする課題】
本考案は従来のこのような面倒は手順を経ることなく、簡易な方法によって修正図面チェックができる図面照合装置を提供するものである。
本考案の課題は、電子ボードなどに描かれた図面を紙図面と重ね合わせて、修正部分のみが伝送できる図面照合装置。
ディスプレイやキーボードを備えた。
現場と施工設計場所との図面の交換転送に際して任意に修正できるシステムを構築する図面照合装置を提供するものである。
本考案の課題は、修正図面について図板上の描画を読取りデジタル信号に変換し、コンピュータに送信するもの例えば、ｅＢｅａｍ（登録商標）を利用することにより簡易にセンサー付ペンによって修正した線データを転送して図面チェックを確実に行われる図面照合装置を提供することである。
【０００６】
【課題を解決するための手段】
この考案の前記課題は、図面を載置する図板に画像読取装置のスキャナを固定し、この図板の上に修正する紙図面を張り合わせる紙面サイズの位置決めマークを有し、この修正する紙図面を修正して色書きするセンサー付付ペンによって修正可能とし、この色書きの線データのみを制御してコンピュータに取り込み記憶し、この取り込み線データを転送可能とした現場において修正箇所を瞬時にチェックができる機構を備えた図面照合装置の構成によって達成できる。
【０００７】
本考案の前記課題は、前記原図面を載置する図板と、この図板の両側隅に配置して固定したスキャナと、前記図板上に原図面を載置する図面サイズの位置きめマークと、前記図板の位置きめマークに合せて載置した原図面の修正を記入するセンサー付ペンと、前記スキャナで読み取った修正線データを表示し、記憶するコンピュータと、を備え、原図面の修正線データを前記コンピュータから現場に送信し、現場の図面との照合を行う図面照合装置の構成により達成できる。
【０００８】
また、前記課題は、前記図板の上隅に固定するスキャナが図板上の描画を読取りデジタル信号に変換し、コンピュータに送信するものであり、センサー付ペンが発信器つきマカーである図面照合装置の構成によって達成できる。
【０００９】
本考案の図面照合装置は、電子ビームにより読み取り可能なホワイトボードを使用しいて、このホワイトボード面に原紙図面を載置し、設計図面の修正をセンサー付ペンにより朱書き補正をして、この修正図面の朱書き部分のみをスキャナで読み取り、この修正箇所の線図をコンピュータに取り込み、建築などの作業現場に転送するから紙図面を郵送する必要がないので瞬時に修正が可能である。
【００１０】
本考案の図面照合装置は、図面を貼り付ける図板ボードとセンサー付ペンとを利用するから簡易に修正画面の線画をスキャナで読み取りコンピュータに取り込むことができる。特に、センサー付ペンから信号を受信する図板の両隅に配置したスキャナーで位置検知しながら検知して修正図面の線データを連続的に送信してコンピュータに記憶することができる。
【００１１】
本考案の図面照合装置は、修正した箇所のみをコンピュータに取り込み、送信することができるので施工現場や会議場において元の紙図面と重ねて修正箇所のチェックが確実に確認することができる。
【００１２】
【考案の実施の形態】
本考案の図面照合装置について図面に示す実施形態に基づいて説明する。
図１は本考案の図面照合装置の概念図である。図２は本考案の図面照合装置の流れ図である。図３は図面照合装置に使用する図板上の描画を読取りデジタル信号に変換し、コンピュータに送信するものキット例である。図４は従来の修正図面の処理方法の説明図である。
【００１３】
本考案の図面照合装置は、図板のようなホワイトボード１を用意し、設計図等が描かれた紙図面３のスキャナ２を載置したホワイトボード１の図面貼付位置定規である位置決めマーク４に合せて載置する。このスキャナ２としては図板上の描画を読取りデジタル信号に変換し、コンピュータに送信するものを使用するとより好ましい。次に、発信器などを搭載したセンサー付ペン（例えば朱色）５によって図面の修正を行う。朱書きによって修正された図面はスキャナ２によってこの線データのみが読み込まれコンピュータ６に取り込まれ記憶される。
【００１４】
この読み込まれた線データは施工現場、会議場に送信され、それぞれの現場において送信された修正線データと元紙図面と重ね合わせて図面のチェックを行い確認する。
【００１５】
本考案の図面照合装置に使用する図板は通常にホワイトボードに限定されることはなく、材質は何であってもよい。昨今使用されている帯電付着シートを使用しても良い。
センサー付ペンは数種類の色ペンであってもよく、太さは種々用意しておくと便利である。しかもイレーザを使用して消しながら、再入力も可能である。
本考案に使用するｅＢｅａｍ（登録商標）センサーによるスキャナで読み取ることができるデータ形式はいずれでもよい。例えば、Ｔｉｆｆ形式、ＣＡＤ形式など特定なものにこだわらない。本考案の実施例では一般的なＣＡＤ形式によって行った
【００１７】
読み取りコンピュータ６に取り込んだ線データについて縮尺をＣＡＤファイル形式に自動調節する。（例えば、読み込んだ線データを原寸入力のために、モデル空間上にスケールを合せるために、元の紙図面し上でＳ＝１／５０で書き入れてある場合は図面を修正して５０倍にする必要がある。）
【００１８】
出力データの確認を行ってから、現場において出力した線データをサイド貼り付けてから再度確認する。
【００１９】
【考案の効果】
本考案の図面照合装置は、従来のように修正図面を紙出力による照合をすることなく、遠方にいる施工現場、会議場において、瞬時に修正線データを取り込み、元紙図面との照合が簡易にでき、修正の確認が容易である。従って、大量の紙を使用する必要がないばかりでなく、修正線データのみ送信することができるので図面のチェックが簡易にできる。
【図面の簡単な説明】
【図１】本考案の図面照合装置の概念図である。
【図２】本考案の図面照合装置の流れ図である。
【図３】本システムに使用するｅＢｅａｍ（登録商標）のキット例である。
【図４】従来の修正図面の処理方法の説明図である。
【符号の説明】
１　　　図板
２　　　スキャナ
３　　　紙図面
４　　　位置決めマーク
５　　　センサー付ペン
６　　　コンピュータ